(57)【要約】      （修正有）【課題】従来の開袋補助具を改良し、さらに開袋しやすい開袋補助具を提供する。【解決手段】表面が貼着性を有する弾性体により形成されたパッド部材１１と、パッド部材１１を、一方の面部が上方に露出するように収納しうるケース部材１２とを備える。ケース部材１２は、パッド部材１１を収納するパッド部材収納部と、収納部に収納されたパッド部材１１の表面部よりも上方に突出して配置され、載置された合成樹脂製の袋を指で押圧して擦ることができる指擦り部１４とを有している。【選択図】図１
0003189861.tif 000002
【実用新案登録請求の範囲】
【請求項１】
表面が貼着性を有する弾性体により形成されたパッド部材と、上記パッド部材を、一方の面部が上方に露出するように収納しうるケース部材とを備え、
上記ケース部材は、上記パッド部材を収納するパッド部材収納部と、上記収納部に収納されたパッド部材の表面部よりも上方に突出して配置され、載置された合成樹脂製の袋又は表面が平滑となるようにコーティングされた袋を指で押圧して擦ることができる指擦り部とを有していることを特徴とする開袋補助具。
【請求項２】
上記指擦り部には所定間隔をおいて複数の凸部が設けられていることを特徴とする請求項１記載の開袋補助具。
【請求項３】
上記指擦り部はパッド部材収納部に隣接して設けられていることを特徴とする請求項２記載の開袋補助具。
【請求項４】
上記パッド部材収納部は、上記ケース部材の中央に設けられた指擦り部を介して一対に設けられていることを特徴とする請求項２記載の開袋補助具。
【請求項５】
上記ケース部材は薄型箱状に形成され、中央には幅方向全域に亘って上記指擦り部が細長帯状に設けられ、その両側には平面長方形状のパッド部材収納部が一対に設けられ、上記パッド部材収納部には夫々、パッド部材が収納されていることを特徴とする請求項１記載の開袋補助具。
【請求項６】
上記ケース部には、上記指擦り部に直交して上記パッド部材の上方に配置される第二の指擦り部を有するパッド部材の固定材部が配設されていることを特徴とする請求項４記載の開袋補助具。
【請求項７】
上記パッド部材収納部の周囲には、上記パッド部材収納部内にパッド部材が収納された場合にはパッド部材表面よりも僅かに上方へ突出する高さ寸法に形成された突条段部が設けられていることを特徴とする請求項５記載の開袋補助具。
【考案の詳細な説明】
【技術分野】
【０００１】
本考案は、開袋補助具の改良に関する。
【背景技術】
【０００２】
本件出願人は、過去に、エラストマーにより形成されたパッド状部材により構成され、パッド状部材の表面部に、例えば、市販されているゴミ袋や、いわゆるレジ袋や惣菜袋等の、ポリエチレン等を素材とするか、又は合成樹脂、又は紙等により表面が平滑となるようにコーティングされた袋の開口部を開けにくい袋の一方側面部を貼着させ、この状態で他方の側面部を指で擦りずらすことにより、一方側面部を他方側面部を容易にひきはがすことができるように構成された開袋補助具を提案している（特許文献１）
【０００３】
この従来の開袋補助具は、例えば、三角形プレート状に形成されたパッドからなり、携帯性に富むことから、パッドを保持した状態でも開袋作業を行うことができる。
しかしながら、指で袋の他方側面部の上から開袋補助具に対して袋を押し付けるようにして擦る必要があり、袋の一方側面部と他方側面部との密着力が強い場合に、強い力で擦った際には、却って一方側面部と他方側面部とがはがれにくくなる、という不具合があった。
【考案の開示】
【考案が解決しようとする課題】
【０００４】
本考案はこのような従来からの不具合を解決するためのものであって、その課題は、従来の開袋補助具を改良し、さらに開袋しやすい開袋補助具を提供することにある。
【課題を解決するための手段】
【０００５】
上記課題達成のため、請求項１記載の考案にあっては、表面が貼着性を有する弾性体により形成されたパッド部材と、上記パッド部材を、一方の面部が上方に露出するように収納しうるケース部材とを備え、上記ケース部材は、上記パッド部材を収納するパッド部材収納部と、上記収納部に収納されたパッド部材の表面部よりも上方に突出して配置され、載置された合成樹脂製の袋又は表面が平滑となるようにコーティングされた袋を指で押圧して擦ることができる指擦り部とを有していることを特徴とする。
【０００６】
上記「表面が貼着性を有する弾性体」とは、例えば、一般にエラストマーと称される素材が該当し、熱硬化性エラストマー、加硫ゴム、熱硬化性樹脂系エラストマー及び熱可塑性エラストマー等が含まれる。
従って、請求項１記載の考案にあっては、使用者は合成樹脂製の袋を上記ケース部材上に置き、袋を上記パッド部材に密着固定させることができ、この状態で指を袋の上から指擦り部に対して擦ることにより、袋の一方側面部を他方側面部から引きはがし開袋することができる。
【０００７】
請求項２記載の考案にあっては、上記指擦り部には所定間隔をおいて複数の凸部が設けられていることを特徴とする。
従って、請求項２記載の考案にあっては、袋上から指を指擦り部に対して擦りつけた場合には、指が上記複数の凸部に引っ掛かり、袋の一方側面部を他方側面部から引きはがしやすくなる。
【０００８】
請求項３記載の考案にあっては、上記指擦り部はパッド部材収納部に隣接して設けられていることを特徴とする。
【０００９】
請求項４記載の考案にあっては、上記パッド部材収納部は、上記ケース部材の中央に設けられた指擦り部を介して一対に設けられていることを特徴とする。
請求項４記載の考案にあっては、一対に設けられたパッド収納部に袋を固定した状態で指を指擦り部に押し付けて擦ることにより開袋することができる。
【００１０】
請求項５記載の考案にあっては、上記ケース部材は薄型箱状に形成され、中央には幅方向全域に亘って上記指擦り部が細長帯状に設けられ、その両側には平面長方形状のパッド部材収納部が一対に設けられ、上記パッド部材収納部には夫々、パッド部材が収納されていることを特徴とする。
【００１１】
請求項６記載の考案にあっては、上記ケース部には、上記指擦り部に直交して上記パッド部材の上方に配置される第二の指擦り部を有するパッド部材の固定材部が配設されていることを特徴とする。
請求項６記載の考案にあっては、パッド部材の配置される第二の指擦り部においても指を擦ることによって開袋することができる。
【００１２】
請求項７記載の考案にあっては、上記パッド部材収納部の周囲には、上記パッド部材収納部内にパッド部材が収納された場合にはパッド部材表面よりも僅かに上方へ突出する高さ寸法に形成された突条段部が設けられていることを特徴とする。
【考案の効果】
【００１３】
請求項１〜６記載の考案にあっては、使用者は合成樹脂製の袋を上記ケース部材上に置き、袋を上記パッド部材に密着固定させることができ、この状態で指を袋の上から指擦り部に対して擦ることにより、袋の一方側面部を他方側面部から引きはがし開袋することができる。
従って、従来のように、指で袋の他方側面部の上から開袋補助具に対して袋を押し付けるようにして擦る必要がなく、上記指擦り部に対して袋上から指を擦ればよいため、袋の一方側面部と他方側面部との密着力が強い場合であっても、容易に開袋することができる。
【００１４】
請求項２記載の考案にあっては、上記効果に加えて、上記指擦り部には所定間隔をおいて複数の凸部が設けられていることから、袋上から指を指擦り部に対して擦りつけた場合には、指が上記複数の凸部に引っ掛かり、袋の一方側面部を他方側面部から引きはがしやすくなる。従って、より開袋作業が容易な開袋補助具を提供することができる。
【００１５】
請求項４記載の考案にあっては、上記効果に加えて、一対に設けられたパッド収納部に袋を固定した状態で指を指擦り部に押し付けて擦ることにより開袋することができる。その結果、袋とパッド部材との間の大きな固定力を得ることができ、指による擦り作業によりより容易な開袋作業が可能となる。
【００１６】
請求項５記載の考案にあっては、上記ケース部材は薄型箱状に形成され、中央には幅方向全域に亘って上記指擦り部が細長帯状に設けられ、その両側には平面長方形状のパッド部材収納部が一対に設けられ、上記パッド部材収納部には夫々、パッド部材が収納されていることを特徴とする。
【００１７】
請求項６記載の考案にあっては、パッド部材の配置される第二の指擦り部においても指を擦ることによって開袋することができるため、さらに開袋作業が容易な開袋補助具を提供することができる。
【００１８】
請求項７記載の考案にあっては、上記突条段部によりパッド部材はパッド部材収納部内に固定されて保持される。また、上記パッド部材収納部内にパッド部材が収納された場合にはパッド部材表面よりも僅かに上方へ突出する高さ寸法に形成されていることから、例えば、使用者が合成樹脂製等の袋を載置して使用する場合であっても、使用する際に突条段部が障害となることはない。
【図面の簡単な説明】
【００１９】
【図１】本考案に係る開袋補助具の一実施の形態を示す斜視図である。
【図２】本考案に係る開袋補助具の一実施の形態を構成するケース部材を示し、（ａ）は平面図、（ｂ）及び（ｃ）は側面図である。
【図３】本考案に係る開袋補助具の一実施の形態を構成するケース部材の底部構成部品を示し、（ａ）は平面図、（ｂ）及び（ｃ）は側面図である。
【図４】本考案に係る開袋補助具の一実施の形態を構成するケース部材に装着される第二の指擦り部を示す図であり、（ａ）は平面図、（ｂ）は側面図である。
【図５】本考案に係る開袋補助具の一実施の形態を構成するケース部材に装着される第二の指擦り部を示す図であり、（ａ）は平面図、（ｂ）は側面図である。
【考案を実施するための最良の形態】
【００２０】
以下、添付図面に示す実施の形態に基づき、本考案を詳細に説明する。
図１に示すように、本実施の形態に係る開袋補助具１０は、エラストマーにより形成されたパッド部材１１と、上記パッド部材１１を、一方の面部が上方に露出するように収納しうるケース部材１２とを備えている。上記ケース部材１２は、上面部が開放された全体方形の薄型箱状に形成されている。
【００２１】
図２及び図３に示すように、ケース部材１２はケース部材本体２３とケース部材本体２３の裏面側に配設される台座部２４とにより構成されている。本実施の形態にあっては、ケース部材１２はＰＰ（ポリプロピレン）による一体成型、台座部２４はＡＢＳによる一体成型により形成されている。
【００２２】
図２に示すように、上記ケース部材本体２３は、上記パッド部材１１を収納するパッド部材収納部１３、１３と、上記収納部１３、１３に収納されたパッド部材１１、１１の表面部よりも上方に突出して配置され、載置された合成樹脂製の袋を指で押圧して擦ることができる指擦り部１４とを有しており、上記指擦り部１４には所定間隔をおいて５つの凸部１５が設けられている。
【００２３】
図２（ａ）に示すように、上記ケース部材本体２３の幅方向中央には縦方向に沿って指擦り部１４が設けられている。指擦り部１４は、縦方向に沿って対向する一対の片部１６、１７に直交して、間に間隙部１８を置いて、長片部１４ａと短片部１４ｂとが設けられている。
【００２４】
上記パッド部材収納部１３、１３は、上記ケース部材本体２３の中央に設けられた指擦り部１４を介して幅方向両側に一対に設けられている。パッド収納部１３、１３は夫々、同一の寸法の平面長方形状の浅い凹部として形成されている。
【００２５】
パッド部材収納部１３、１３の周囲には突条段部１９が包囲するように形成されており、図２（ａ）に示すように、横方向において、間隙部１８ど同一の幅寸法の位置において互いに対向して、後述の細長桟状の第二の指擦り部２０がはめ込まれる係止凹部２１、２１が形成されている。
【００２６】
この場合、上記突条段部１９によりパッド部材１１はパッド部材収納部１３、１３内に固定されて保持される。また、突条段部１９は上記パッド部材収納部１３内にパッド部材１１が収納された場合にはパッド部材１１の表面よりも僅かに上方へ突出する高さ寸法に形成されていることから、例えば、使用者が合成樹脂製等の袋を載置して使用する場合であっても、使用する際に突条段部１９が障害となることはない。
【００２７】
ケース部材本体２３の幅方向の一片部には立ち上がり片部２２が形成されており、立ち上がり片部２２はケース部材１２の上方へ突出配置されている。
【００２８】
図３に示すように、台座部２４は、ケース本体部２３と、平面形状と同一の形状で大きさ寸法に形成された底板部２６と、底板部２６上に形成された台座本体２５と、幅方向端部に形成された３つのケース部材本体への固定用の３つの爪片部２７とを有している。
【００２９】
図４は、上記のようにケース部材本体２３に着脱可能に固定される桟状の第二の指擦り部２０を示す。第二の指擦り部２０は、ＰＰ（ポリプロピレン）製であって細長板状に形成され、両端部には係合部２８、２８が形成されており、上面部には長さ方向に沿って２つの突条部２９、２９が形成されている。
【００３０】
図５は、本実施の形態に係る開袋補助具１０に使用されるパッド部材１１を示す。本パッド部材１１は、エラストマーにより形成され、厚さ寸法は０．８ｍｍ、平面長方形状であって、ケース部材本体２３のパッド部材収納部２３、２３内においてズレることなくタイトに収納できるように形成されている。
【００３１】
従って、使用に際しては、２枚のパッド部材１１を夫々、ケース部材１２のパッド部材収納部１３、１３内に配置して、その後、第二の指擦り部２０をケース部材１２の幅方向に渡して、間隙部１８内に配置されるようにした状態で、両端部の係合部２８、２８を係止凹部２１、２１に係合させて固定する。
【００３２】
この場合、パッド部材１１は、エラストマー製であり、平面は非常に平滑に形成されていることから、パッド部材収納部１３の表面に密着し、合成樹脂製の袋を上面に配置させてその上から指で擦ってもパッド部材１１が滑らず、パッド部材収納部１３から滑り出すことはない。
【００３３】
これにより、第二の指擦り部２０はパッド部材１１、１１上に配設され、突条部２９、２９は指擦り部１４の凸部１５と略同一面上に配置される。
【００３４】
この状態で、開袋補助具１０を、例えば、両面テープ等により適宜、机の天板等の平面部に固定する。その後、開袋しようとする合成樹脂製の袋を、開袋補助具１０に、開口部を立ち上がり片部２２方向に配置した状態で、指で指擦り部１４の凸部１５又は第二の指擦り部２０の突条部２９に指が引っ掛かるようにして縦方向に擦る。
【００３５】
これにより、合成樹脂製の袋の一方側面部は２つのパッド部材１１、１１に大きな摩擦力を以て密着していることから、袋の他方側面部は指と共に擦り方向に沿って一方側面部から引きはがされ、容易に開口部が形成されるものである。
【００３６】
この場合、底板部２６の台座本体２５はケース部材本体２３のパッド部材収納部１３、１３の裏面側においてパッド部材収納部１３、１３を裏面側から支持して、多数回に及び指による袋の擦り動作による応力の支承を補助する。
【００３７】
また、本実施の形態にあっては、第二の指擦り部２０がパッド部材１１、１１上に配設されていることから、開袋作業時に大きな力で指で擦った場合であってもパッド部材１１、１１がパッド部材収納部１３、１３から離脱してしまわないようにする固定部材としての役割も果たす。
また、パッド１１、１１に関しては、使用の過程で汚れたり、経年劣化した場合には、第二の指擦り部２０を取り外して、パッド１１、１１を水洗いしたり、新しいパッドと交換することができるように構成されている。
【００３８】
なお、ケース部材１２、台座部２４及びパット１１の具体的形態、素材に関しては本実施の形態に限定されない。例えば、ケース部材１２のパッド部材収納部１３の平面形状を、例えば、円形にしたような場合には、パッド部材収納部１３の平面形状に合わせて平面円形状に形成してもよい。
【産業上の利用可能性】
【００３９】
本考案は開袋補助具に広く適用することができることから、産業上の利用可能性を有している。
【符号の説明】
【００４０】
１０  開袋補助具
１１  パッド部材
１２  ケース部材
１３  パッド部材収納部
１４  指擦り部
１５  凸部
１６  片部
１７  片部
１８  間隙部
１９  突条段部
２０  第二の指擦り部
２１  係止凹部
２２  立ち上がり片部
２３  ケース部材本体
２４  台座部
２５  台座本体
２６  底板部
２７  爪片部  
２８  係合部
２９  突条部
【図１】
0003189861.tif 000003
【図２】
0003189861.tif 000004
【図３】
0003189861.tif 000005
【図４】
0003189861.tif 000006
【図５】
0003189861.tif 000007